(57)【要約】【課題】  左右非対称形状や、複数の異なる形状、サイズの撮像装置を載置することができるとともに、置き方の自由度を向上させた撮像装置の置台を提供する。【解決手段】  左側端部に固定用の軸体３３ｂを回転させるつまみ３４を配設できるように形成したベース部３を有したスタンド４を設け、デジタルカメラ４０を載置する載置板３０に連なる側板を、例えば左側板３０Lのみ形成した本体ガイド５と、前記スタンド４とを固着して置台１を形成する。本体ガイド５の右側板は形成されていないので、非対称形状のデジタルカメラ４０を表、裏どちらを正面にしても置台１に置くことができる。またデジタルカメラ４０を置台１に載置した状態で、右側部からはみ出るマルチコネクター８５の脱着が自在となる。【選択図】  図１１
2006184733.tif 000002
【特許請求の範囲】
【請求項１】
偏平な直方体形状の撮像装置を載置する置台であって、左右側壁のうちいずれか一方の側壁のみが形成されていることを特徴とする撮像装置の置台。
【請求項２】
前記撮像装置の底面には固定用凹部が設けられ、前記置台の載置面から突出しない第１の位置と該載置面から突出する第２の位置との間で移動可能に配設された固定用凸部を有し、前記撮像装置を置台に固定する固定手段を備えたことを特徴とする請求項１に記載の撮像装置の置台。
【請求項３】
前記置台には三脚を取り付ける取付部が設けられていることを特徴とする請求項１に記載の撮像装置の置台。
【請求項４】
前記置台には三脚を取り付ける取付部が設けられていることを特徴とする請求項２に記載の撮像装置の置台。
【発明の詳細な説明】
【技術分野】
【０００１】
本発明は、デジタルカメラ（ＤＳＣ）等の撮像装置の置台に関する。
【背景技術】
【０００２】
従来、撮像装置、例えばデジタルカメラを載置する置台は、載置したデジタルカメラの全周、すなわち正面、裏面、左右側面をすべて囲む所定高さの壁部を備えるものであった。
【０００３】
また例えば、コンピュータと接続するための通信コネクタ等を備え、デジタルカメラを取り付けるクレードルも、例えば下記特許文献１に記載のように、デジタルカメラの形状に合わせて全周を囲む壁部を備えるものであった。
【特許文献１】特開２００２−３５９７６１号公報
【発明の開示】
【発明が解決しようとする課題】
【０００４】
従来の撮像装置の置台は、載置した撮像装置の保持を、全周を隈無く囲っている壁部に頼っていたため、表裏、左右対称形状の場合のみ、表裏どちらでも保持することができたが、非対称の撮像装置に関しては、決められた方向のみの保持しかできず、汎用性もなかった。
【０００５】
また１つの置台には、載置面（底面）および前記壁部の形状、サイズで決まる形状、サイズの撮像装置しか載置できず、複数の異なる形状、サイズの撮像装置を載置することはできないものであった。
【０００６】
また撮像装置の保持をねじに頼るものにおいては、ねじの位置により、保持される位置（固定位置）が決まってしまい、また前記壁部の存在により、少しずらして置くなどの融通がきかず、撮像装置の置き方に自由度がなかった。
【０００７】
また前記特許文献１に記載のクレードルにおいては、該クレードルに設けられたＡＣコネクター、通信コネクターなどのコネクター類に挿入される各ケーブルは、単に差し込むだけで何ら保持する手段がないので、移動の際に差し込み部に力が加わって外れてしまう可能性が高かった。
【０００８】
さらに、デジタルカメラ等は近年薄型化されているが、この薄型のデジタルカメラには三脚座を取り付けることができないので、一般の三脚に取り付けて使用することは不可能であった。
【０００９】
本発明は上記の点に鑑みてなされたものでその目的は、左右非対称形状や、複数の異なる形状、サイズの撮像装置を載置することができるとともに、置き方の自由度を向上させた撮像装置の置台を提供することにある。
【課題を解決するための手段】
【００１０】
上記課題を解決するための本発明の撮像装置の置台は、偏平な直方体形状の撮像装置を載置する置台であって、左右側壁のうちいずれか一方の側壁のみが形成されていることを特徴としている。
【００１１】
また前記撮像装置の底面には固定用凹部が設けられ、前記置台の載置面から突出しない第１の位置と該載置面から突出する第２の位置との間で移動可能に配設された固定用凸部を有し、前記撮像装置を置台に固定する固定手段を備えたことを特徴としている。
【００１２】
また前記置台には三脚を取り付ける取付部が設けられていることを特徴としている。
【発明の効果】
【００１３】
（１）請求項１〜４に記載の発明によれば、左右側壁のうちいずれか他方の側壁は存在いないので、置台に対する撮像装置の載置方向は、表向きでも裏向きでも自由にユーザーの好みで変更することができる。例えば左右非対称形状の撮像装置であっても表裏どちらでも置くことができ、汎用性が増す。
【００１４】
また１つの置台で、複数の異なる形状、サイズの撮像装置を置くことができ、汎用性に富む。
【００１５】
また撮像装置を、前記存在しない他方の側壁側にずらして置くことが可能であり、置き方の自由度が増す。
【００１６】
また撮像装置の側端面にマルチコネクターやアクセサリー等を装着した状態で置台に載置することができる。また撮像装着を置台に載置したまま、コネクターやアクセサリー等を脱着できるので、あたかもクレードルとして使用することができ、さらに普段はコネクターを外しておけば邪魔なケーブルに悩まされなくて済む。
（２）また請求項２に記載の発明によれば、固定手段の固定用凸を移動可能に配設したので、撮像装着の非載置時に該固定用凸部を置台の載置面から突出しない第１の位置とすることができる。これによって撮像装置を置台に載置する際に固定用凸部が撮像装置の載置を妨げたり、撮像装置を傷つけたりすることはない。
【００１７】
そして置台に載置した撮像装置を固定する際は、固定用凸部を、置台の載置面から突出する第２の位置に移動させて、撮像装置を置台に固定することができる。これによって置台ごと撮像装置を容易に移動、持ち運びすることができる。
【００１８】
また、コネクターやアクセサリー等を撮像装置に装着したまま置台ごと移動することができるため、移動時に装着物が外れてしまうことはなく、前記装着部位に不要な力が加わらないので、装着部位や装着物を損傷することはない。
（３）また請求項３、４に記載の発明によれば、撮像装置を載置し固定した置台を三脚に取り付けることができる。このため三脚座を付けることができない薄型の撮像装置であっても、三脚に取り付けて使用することができ、撮像装置の使用形態が多様化する。
【発明を実施するための最良の形態】
【００１９】
以下、図面を参照しながら本発明を、（１）置台全体の構成、（２）撮像装置の一例としてのデジタルカメラの構成、（３）本実施形態例の作用の順で説明する。尚本発明は以下の実施形態例に限定されるものではない。
（１）置台全体の構成
図１は本実施形態例の置台の正面図、図２は背面図、図３（ａ）は左側面図、図３（ｂ）は右側面図、図４は平面図、図５は底面図、図６は上方から見た要部分解斜視図、図７は底部側から見た全体分解斜視図、図８は組立完成図である。
【００２０】
これらの図において、置台１は、設置面に平行な略平板状の座部２から所定角度をもって上側にベース部３を延設して成るスタンド４と、該スタンド４上に配設されてデジタルカメラが載置される本体ガイド５と、ベース部３の一端側に設けた段部により本体ガイド５の底面との間で形成される空間に配設された固定部６とで構成されている。
【００２１】
スタンド４の座部２の外周は、図６に示すように直線部１１と、この直線部１１の両端を楕円状に結んだ曲線部１２ａ，１２ｂ，１２ｃとで構成されている。座部２の、直線部１１に沿い且つ曲線部１２ｂに若干平行移動した直線に沿う所定幅（デジタルカメラ本体の厚み寸法より大きい幅）の領域、すなわち、直線部１１の左側端に連なる曲線部１２ａと右側端に連なる曲線部１２ｃを結ぶ領域には、座部２に対して曲線部１２ｂ側に所定角度傾斜（図３（ａ），（ｂ））してベース部３が所定高さに延設されている。
【００２２】
ベース部３は、平板状の正面板１３ａと、背面板１３ｂと、天板１３ｃを有するとともに、座部２の曲線部１２ａ，１２ｃ側の各側板１３ｄ，１３ｅは正面板１３ａ、背面板１３ｂの各端部間に円弧状に形成されている。
【００２３】
またベース部３の左側端部には所定高さの円筒形状を切り欠いて段部１３ｆが形成されている。したがってベース部３の左側端部には側板１３ｄの上側周縁部に接する段部底面板１３ｇと、前記段部１３ｆに臨み段部底面板１３ｇから立設される段部側面板１３ｈとが形成されている。
【００２４】
段部底面１３ｇには、所定深さの大径孔１３ｉが穿設され、該大径孔１３ｉの底部には大径孔１３ｉよりも小径の小径孔１３ｊが座部２を貫通して穿設されている。
【００２５】
前記天板１３ｃは、前記正面板１３ａ、背面板１３ｂ、側板１３ｅおよび段部側面板１３ｈの各上端よりも若干低く配設され、これにより上端周縁部１３ｋが形成されている。
【００２６】
天板１３ｃの中央付近には、互いに所定間隔隔てて２個の挿入孔１３L，１３Rが座部２の底面付近まで穿設されている。この挿入孔１３L，１３Rには、後述する突起部３１L，３１Rが挿入されて図７に示す座部２の底面に設けた挿入孔底板１４L，１４Rの底面側からねじ２０ａ，２０ｂによってねじ止めするように構成されている。
【００２７】
図７に示す座部２の底面において、挿入孔底板１４L，１４Rの互いに対向する側の各近傍には、図示省略の三脚のねじが締結される三脚ねじ取付板１５を固着するための固定板１６L，１６Rが形成されている。
【００２８】
この固定板１６L，１６Rは互いに直交する２枚の細板を有し、その各交点部位にはねじ止め用孔１７L，１７Rが各々穿設されている。
【００２９】
固定板１６L，１６Rの前記ベース部３と反対側の端部は、三脚ねじ取付板１５を固着できるように、該取付板１５の形状に合わせて所定深さ（座部２の底面からベース部３の天板１３ｃ側への所定距離）に切り欠かれている。
【００３０】
そしてこの切り欠き後、三脚ねじ取付板１５が当接される当接面１８L，１８Rはベース部３の天板１３ｃと平行な面に形成されている。
【００３１】
三脚ねじ取付板１５は、中央側に形成された雌ネジ部１５ａと、その両サイドに設けられ、中央にねじ穴１５ｈL，１５ｈRを有した固定片１５L，１５R を備え、雌ネジ部１５ａは、三脚側の取り付け用雄ネジ（図示省略）と螺合する雌ネジが、端面１５ｂに対し直交して所定深さに設けられている。
【００３２】
そして雌ネジ部１５ａの端面１５ｂと固定片１５L，１５Rは、座部２とベース部３のなす傾斜角度と同一角度ずれて形成されている。
【００３３】
このため、固定板１６L，１６Rの当接面１８L，１８Rがベース部３の天板１３ｃと平行であっても、三脚ねじ取付板１５の固定片１５L，１５Rを、ねじ２０ｃ，２０ｄによってねじ穴１５ｈL，１５ｈRおよびねじ止め用孔１７L，１７Rを介して締め付け固着すると、三脚ねじ取付板１５の端面１５ｂが座部２の底面と平行な面に保持されるものである。これによって三脚側の取り付け用雄ネジを締め付けた際、座部２の底面が、三脚の台上の平面にぴったりフィットする。
【００３４】
尚、座部２およびベース部３は例えば樹脂等で形成され、三脚ねじ取付板１５は例えば金属で形成される。
【００３５】
座部２の底面の、ベース３が設けられている領域の略中央には、長方形状の凹部２１が形成され、該凹部２１には例えばゴム製の長方形状の足２２が固設されている。
【００３６】
本体ガイド５は、図６に示すように、ベース部３の天板１３ｃと対向し、載置面３０ａを平滑に形成した載置板３０を有している。この載置板３０は、ベース部３の正面板１３ａ、背面板１３ｂ、側板１３ｄ，１３ｅで囲まれる形状と同一形状の平板で構成され、その底面略中央には前述したベース部３の挿入孔１３L，１３Rに挿入される２本の突起部３１L，３１Rが形成されている。
【００３７】
この突起部３１L，３１Rは、本体ガイド５とベース部３を固定したときに、先端部分が前記図７の挿入孔底板１４L，１４Rに到達する長さに形成され、該先端部にはねじ止め用孔３２L，３２Rが各々穿設されている。
【００３８】
これによって本体ガイド５の突起部３１L，３１Rをスタンド４のベース部３の挿入孔１３L，１３Rに挿入し、ねじ２０ａ，２０ｂによって、挿入孔底板１４L，１４Rの孔１４ｈL，１４ｈRおよび突起部３１L，３１Rのねじ止め用孔３２L，３２Rを介してねじ締めし、固着がなされる。
【００３９】
載置板３０の底面には、図７に示すように、該底面から若干突出させて、ベース部３の上端周縁部１３ｋの形状と同一で且つ若干サイズが小さい周縁部３０ｋが形成されている。
【００４０】
このため突起部３１L，３１Rを挿入孔１３L，１３Rに挿入すると、前記突出させた周縁部３０ｋが図６に示すベース部３側の上端周縁部１３ｋに嵌まり込んで、スタンド４と本体ガイド５はぴったりと合体される。
【００４１】
載置板３０の左側端の底面には、スタンド４と本体ガイド５の合体時にベース部３の段部１３ｆに臨むように円筒形の円筒凸部３０ｆが形成されている。この円筒凸部３０ｆの形成高さ（軸方向寸法）は周縁部３０ｋの突出高さと同一に形成されており、中心部位には所定径の穴部３０ｈが載置板３０を貫通するように穿設されている。
【００４２】
この穴部３０ｈは、後述するデジタルカメラを載置したときに、底面に設けられた固定用凹部がオーバーラップする位置に設けられている。
【００４３】
載置板３０の外周には、正面直線部３０ｂと、これに平行な背面直線部３０ｃと、これら直線部３０ｂ，３０ｃの各端部を各々曲線で結ぶ曲線部３０ｄ，３０ｅとで形成されている。
【００４４】
３０ｍは正面直線部３０ｂに沿って所定高さに形成された正面板であり、略正面の左半分のみ形成し、正面の略右半分は形成していない。３０ｇは背面直線部３０ｃに沿って左、右全面に形成された背面板であり、中央から若干左よりの部位を若干曲げた屈曲部３０ｇａを有している。
【００４５】
本実施形態例では左、右側板のうち、左側板３０Lのみを設け、右側板は設けていない。
【００４６】
この左側板３０Lは、載置板３０の曲線部３０ｄに沿って、円弧状に形成されており、デジタルカメラの厚み方向端部は正面板３０ｍ、背面板３０ｇの左側端部に連なって形成されている。
【００４７】
また左側板３０Lから穴部３０ｈの方向には、デジタルカメラの載置時に位置規制を行う細板３０ｉが形成されている。
【００４８】
前記段部１３ｆの空間に配設される固定部６は、一端の雄ネジ部３３ａが前記穴部３０ｈに挿入されるアダプタねじ３３と、アダプタねじ３３の他端が挿入されるねじ受け部３４ａを有したつまみ３４とを備えている。
【００４９】
雄ネジ部３３ａが形成された軸体３３ｂの略中央には、該軸体３３ｂよりも大径のフランジ３３ｃが形成され、該フランジ３３ｃのつまみ３４側部位の軸体３３ｂ外周には、所定幅のスリーブ３３ｄ，３３ｅが軸体３３ｂの同一直径線上に形成されている。
【００５０】
つまみ３４は、所定高さの円筒体３４ｂと、該円筒体３４ｂの中央をアダプタねじ３３側の面から所定深さまで切り欠いて形成された、アダプタねじ３３のフランジ３３ｃより若干大径の大径孔部３４ｉと、該大径孔部３４ｉの底部から前記段部底面板１３ｇ方向に、円筒体３４ｂの高さよりも長く延設されたねじ受け部３４ａとを有している。
【００５１】
ねじ受け部３４ａは、大径孔部３４ｉよりも小径で且つアダプタねじ３３の軸体３３ｂより若干大径の小径孔部から３４ｊと、該小径孔部３４ｊの外周であって同一直径線上の部位を切り欠いたスリーブ受け部３４ｄ，３４ｅとを有している。
【００５２】
尚スリーブ受け部３４ｄ，３４ｅの軸方向寸法はアダプタねじ３３のスリーブ３３ｄ，３３ｅの軸方向寸法より長ければ良く、本実施形態例では若干長く形成している。
【００５３】
スタンド４と本体ガイド５の合体時には、つまみ３４のねじ受け部３４ａがベース部３側の段部１３ｆの大径孔１３ｉに嵌合し、アダプタねじ３３の軸体３３ｂがつまみ３４の小径孔部３４ｊに嵌合し、該軸体３３ｂの端部はベース部３の小径孔１３ｊに嵌合し、スリーブ３３ｄ，３３ｅがつまみ３４のスリーブ受け部３４ｄ，３４ｅに嵌合し、フランジ３３ｃが大径孔部３４ｉに嵌合し、アダプタねじ３３の雄ネジ部３３ａが本体ガイド５の穴部３０ｈに嵌合する。
【００５４】
そしてアダプタねじ３３はつまみ３４の回転に伴って軸方向に移動可能であり、つまみ３４も軸方向にに移動できるように構成されている。
【００５５】
またつまみ３４の円筒体３４ｂの軸方向に寸法は段部１３ｆの空間高さよりも若干短く形成されている。
（２）デジタルカメラの構成
図９（ａ），（ｂ）は本発明の撮像装置としてのデジタルカメラ４０を第１の主面（正面）側から見た斜視図、図９（ｃ）はデジタルカメラ４０を第２の主面（裏面）側から見た斜視図である。
【００５６】
前記デジタルカメラ４０は、偏平な直方体形状の筺体４１の第１の主
面４２に臨んで撮像レンズ４３と、オートフォーカス用の補助光を発光させるためのＡＦイルミネータ４４と、フラッシュ用の発光部４５が配置されていて、図９（ａ）に示す前記撮像レンズ４３、ＡＦイルミネータ４４、フラッシュ用の発光部４５を露出させる位置と、図９（ｂ）に示す前記撮像レンズ４３、ＡＦイルミネータ４４、フラッシュ用の発光部４５を隠蔽する位置の間で移動可能なバリヤ（レンズカバー）４６を備えている。
【００５７】
また図９（ｃ）に示すように、前記筺体４１の前記第１の主面４２に対向する第２の主面５１には、液晶等の表示部５２と、モード切り替えスイッチ５３と、メニュー釦５４と、コントロール釦５５と、画面表示オンオフ釦５６と、スピーカー５７が設けられている。
【００５８】
また前記第１の主面４２と前記第２の主面５１を結ぶ第１の端面（上端面）６１には、マイクロホン６２と、ズーム釦６３と、シャッター釦６４と、が設けられている。
【００５９】
また前記第１の主面４２と前記第２の主面５１を結ぶ第２の端面（下端面；底面）６５ には、前記筺体４１内に設けたメモリーカード等の記録媒体収納部６６の開口部を開閉する蓋６７が設けられている。
【００６０】
また、前記第１の主面４２と前記第２の主面５１を結ぶ第３の端面（右側端面）６８には、前記筺体４１内のバッテリー収納部（図示省略）の開口部を開閉するバッテリー蓋７０と、前記バッテリー収納部へのバッテリーの挿入およびバッテリー収納部からバッテリーの抜去を許容するバッテリーリリースレバー７１と、前記バッテリー蓋７０を開いたときに該バッテリー蓋７０が重なるストラップ金具７２と、マルチコネクター接続端子７３と、電源釦７４が設けられている。前記バッテリーリリースレバー７１は、前記バッテリー蓋７０の側方に配置されている。
【００６１】
８０は雌ネジ部（本発明の固定用凹部）であり、前述したアダプタねじ３３の雄ネジ部３３ａと螺合できる寸法に形成されている。
（３）作用
図１０はデジタルカメラ４０を第１の主面（正面）４２を正面に向けて置台１に載置した図を示し、図１１はデジタルカメラ４０を、マルチコネクター接続端子７３にマルチコネクター８５を接続、装着した状態で、第２の主面（裏面）５１を正面に向けて置台１に載置した図を示している。
【００６２】
このようにデジタルカメラ４０を表、裏どちらの向きでも置台１に載置することができる。また置台１の本体ガイド５の載置板３０には、左側板３０Lのみが形成され、右側板は形成されていないので、図１１のようにマルチコネクター８５を装着したままでも載置することができる。
【００６３】
さらに図１２に示すように、デジタルカメラ４０とは形状、サイズが異なる（デジタルカメラ４０よりも左右方向の寸法が大きい）デジタルカメラ９０も置台１に載置することができる。このデジタルカメラ９０も前記図１０、図１１の場合と同様に、表、裏どちらの向きでも置台１に載置することができる。
【００６４】
尚デジタルカメラ４０、９０を載置するときは、図１０〜図１２に示すように、左側板３０Lから突出した位置規制用の細板３０ｉにカメラ側端部を当接するに限らず、カメラを右側に少しずらして置くこともできる（図示省略）。
【００６５】
前記デジタルカメラ４０、９０を、置台１の本体ガイド５の載置板３０に載置した場合、図６に示す正面板３０ｍと背面板３０ｇによって両主面が確実に保持されるものである。
【００６６】
そしてデジタルカメラ４０（９０）を置台１に固定する場合は、カメラ側端部を左側板３０Lの細板３０ｉに当接させ（これによりデジタルカメラ４０の底面６５の雌ネジ部８０が載置板３０の穴部３０ｈ上の位置に合致する）、つまみ３４を回転させてアダプタねじ３３の雄ネジ部３３ａを雌ネジ部８０に螺合させて締め付けを行う。
【００６７】
図１３はつまみ３４による固定動作を表しており、デジタルカメラ側の固定用凹部である雌ネジ部８０と置台１側の固定部６の要部断面を示している。尚図１３ではアダプタねじ３３のフランジ３３ｃとスリーブ３３ｄ，３３ｅの境界線は図示省略している。
【００６８】
まず常時は図１３（ａ）のように、アダプタねじ３３のスリーブ３３ｄ，３３ｅ全体がスリーブ受け部３４ｄ，３４ｅに嵌入し、ねじ受け部３４ａはベース部３の大径孔１３ｉに完全に嵌入している。
【００６９】
そしてこの状態でアダプタねじ３３の雄ネジ部３３ａは、載置板３０の穴部３０ｈ内に存在するものの、その先端は載置面３０ａから突出しない位置（第１の位置）に保持される。このため図１３（ａ）のようにデジタルカメラ４０を載置面３０ａに載置する際、載置を妨げたり、デジタルカメラ４０の底面を傷付けたりすることはない。
【００７０】
次につまみ３４を指で上方に押し当てながら締め付け方向に回転させると、アダプタねじ３３の雄ネジ部３３ａの先端がデジタルカメラ４０の雌ネジ部８０側に侵入し、雄ネジ部３３ａと雌ネジ部８０が螺合され、雄ネジ部３３ａの先端が図１３（ｂ）の位置まで上昇し締め付け固定が完了する。この状態で指を離さない場合は、つまみ３４の円筒体３４ｂの上面が載置板３０の円筒凸部３０ｆの端面に当接した状態を維持するが、次につまみ３４から指を離すと、つまみ３４だけが下方に落下し図１３（ｃ）の状態となる。
【００７１】
置台１への固定を解除する場合は指でつまみ３４を上方に押し当てて（図１３（ｂ））、前記と反対に回転させねじを緩めアダプタねじ３３を下方に移動させれば良い（図１３（ａ））。
【００７２】
図１４はデジタルカメラを一般の三脚９５に取り付けた正面図を示している。本発明では、デジタルカメラ４０を、置台１に載置し前記図１３の方法で固定し、三脚９５の三脚ねじ９６を、スタンド４の底面の図７に示す三脚ねじ取付板１５の雌ネジ部１５ａに嵌合し締め付けることによって、容易に取り付けることができる。
【００７３】
したがて従来は三脚に取り付けることができなかった薄型の撮像装置を、マルチコネクター８５を装着したままで容易に三脚９５に取り付けることができる。
【００７４】
また薄型の撮像装置を三脚に取り付けた状態でマルチコネクター８５を脱着することができる。
【００７５】
また前記側壁は本体ガイド５の左側板３０Lに限らず右側板のみを設けても良く、その場合は、固定部６および撮像装置の固定用凹部（雌ネジ部８０）は底面右側に設けるものである。
【００７６】
尚本発明の固定手段は、アダプタねじ３３、つまみ３４の代わりに、常時は雄ネジ部の先端が載置面３０ａから突出しないように保持されるねじを設け、その下端からコインやドライバー等によりねじ締めするように構成しても良い。
【００７７】
また本発明の固定手段は、撮像装置の底面に、雌ネジ部８０に代わる孔を穿設しておき、アダプタねじ３３、つまみ３４の代わりに、先端が前記孔の径よりも小さい径と大きい径の間で伸縮自在に構成された弾性を有した凸部材を、置台１の載置面３０ａから突出しない第１の位置と突出する第２の位置との間で移動可能に配設するように構成しても良い。
【００７８】
この構成において、撮像装置を置台に固定するときは前記凸部材を前記孔側に押し当てて先端を孔に嵌入せしめ、固定を解除するときは凸部材を孔から引くだけのワンタッチ動作で容易に行うことができ着脱の操作スピードが速められる。
【００７９】
また本発明のいずれか一方の側壁は、前記実施形態例の形状、サイズに限らず他の形状、サイズに構成しても良い。
【図面の簡単な説明】
【００８０】
【図１】本発明の一実施形態例の置台の正面図。
【図２】本発明の一実施形態例の置台の背面図。
【図３】本発明の一実施形態例を表し、（ａ）は左側面図、（ｂ）は右側面図。
【図４】本発明の一実施形態例の平面図。
【図５】本発明の一実施形態例の底面図。
【図６】本発明の一実施形態例の、上方から見た要部分解斜視図。
【図７】本発明の一実施形態例の、底部側から見た全体の分解斜視図。
【図８】本発明の一実施形態例の組立完成図。
【図９】本発明の撮像装置としてのデジタルカメラを表し、（ａ），（ｂ）は正面側から見た斜視図、（ｃ）は裏面側から見た斜視図、（ｄ）は底面図。
【図１０】本発明の一実施形態例を示し、所定のデジタルカメラの正面を向けて置台に置いたときの正面図。
【図１１】本発明の一実施形態例を示し、所定のデジタルカメラにマルチコネクターを装着し裏面を向けて置台に置いたときの正面図。
【図１２】本発明の一実施形態例を示し、形状、サイズの異なる他の撮像装置を置台に置いたときの正面図。
【図１３】本発明の一実施形態例における、デジタルカメラを置台に置いて固定するようすを表し、（ａ）は固定前の状態の要部断面図、（ｂ）は固定時の要部断面図、（ｃ）は固定完了後の要部断面図。
【図１４】本発明の他の実施形態例を表し、デジタルカメラ、置台および三脚を固定したときの正面図。
【符号の説明】
【００８１】
１…置台、２…座部、３…ベース部、４…スタンド、５…本体ガイド、６…固定部、１３ｆ…段部、１３ｉ…大径孔、１３ｊ…小径孔、１５…三脚ねじ取付板、１５ａ…雌ネジ部、３０…載置部、３０ａ…載置面、３０ｄ，３０ｅ…曲線部、３０ｆ…円筒凸部、３０ｇ…背面板、３０ｇａ…屈曲部、３０ｈ…穴部、３０ｉ…細板、３０L…左側板、３０ｍ…正面板、３３…アダプタねじ、３３ａ…雄ネジ部、３３ｂ…軸体、３３ｃ…フランジ、３３ｄ，３３ｅ…スリーブ、３４…つまみ、３４ａ…ねじ受け部、３４ｂ…円筒体、３４ｄ…スリーブ受け部、３４ｉ…大径孔部、３４ｊ…小径孔部、４０、９０…デジタルカメラ、４２…第１の主面（正面）、４３…撮像レンズ、４６…バリヤ（レンズカバー）、５１…第２の主面（裏面）、５２…表示部、６７…蓋、７０…バッテリー蓋、７１…バッテリ−リリースレバー、７２…ストラップ金具、７３…マルチコネクター接続端子、８０…雌ネジ部、８５…マルチコネクター、９５…三脚、９６…三脚ねじ。
【図１】
2006184733.tif 000003
【図２】
2006184733.tif 000004
【図３】
2006184733.tif 000005
【図４】
2006184733.tif 000006
【図５】
2006184733.tif 000007
【図６】
2006184733.tif 000008
【図７】
2006184733.tif 000009
【図８】
2006184733.tif 000010
【図９】
2006184733.tif 000011
【図１０】
2006184733.tif 000012
【図１１】
2006184733.tif 000013
【図１２】
2006184733.tif 000014
【図１３】
2006184733.tif 000015
【図１４】
2006184733.tif 000016